(57)【要約】【課題】  ボールペンを使用後に、ボールペン芯体を、再度、軸筒内に戻す際に発生する弾き音を、脱落や傾斜しないようにした衝撃音低減部材により、長期間安定して低減させる。【解決手段】  ボールペン１におけるボールペン芯体３を、コイルばね１０によって後方に向けて付勢させるとともに、使用状態にあるボールペン芯体３を、使用後に再度、軸筒２内に戻す際に発生する衝撃音を低減させるための衝撃音低減部材１３を、その後部に設けた、拡径部１５ａを備える取付部１５を、軸筒２の内部後端に設けた取付孔１７に、強固に嵌合させることによって、軸筒２に取り付ける。  衝撃音低減部材１３における前部には、つまみ部１６を突設させる。【選択図】        図１
2006015561.tif 000002
【特許請求の範囲】
【請求項１】
軸筒内に収容されたボールペン芯体の後端に操作部材を取り付け、この操作部材における操作部を、軸筒の周壁に設けたスライド孔から外部に露出させ、この操作部を操作することによって、ボールペン芯体の前端部を、軸筒の前端に取り付けた口先部の前端開口から出没させるようにしたボールペンにおいて、
ボールペン芯体を、コイルばねによって後方に向けて付勢させるとともに、口先部の前端開口から、前端部を突出させた使用状態にあるボールペン芯体を、使用後に再度、軸筒内に戻す際に、コイルばねによる付勢力によって、操作部材の後端部が、軸筒における係止部に衝突するときに発生する衝撃音を低減するための衝撃音低減部材を、この衝撃音低減部材における後部に設けた取付部を、軸筒の内部後端に設けた取付孔に嵌合させることによって、軸筒に取り付けたことを特徴とするボールペン。
【請求項２】
衝撃音低減部材を、ボールペン芯体を軸筒内に収容した状態において、操作部材の後端部が当接する基板と、その後面に後方に向けて突設させた取付部とより形成するとともに、これら基板と取付部を弾性素材で形成し、かつ前記取付部の一部を拡径し、軸筒の内部後端に設けた取付孔に強固に嵌合させたことを特徴とする請求項１記載のボールペン。
【請求項３】
軸筒の内部後端に設けた取付孔を、その奥部を開口部よりも幅広に形成し、この幅広部に衝撃音低減部材における取付部の拡径部を嵌合させたことを特徴とする請求項１または２記載のボールペン。
【請求項４】
衝撃音低減部材における基板を、ボールペン芯体の数に対応した小片を、平面視において放射状に配設させた形状に形成するとともに、前記小片を、軸筒の内部後端に、衝撃音低減部材が回転しないように係止させたことを特徴とする請求項１〜３のいずれかに記載のボールペン。
【請求項５】
衝撃音低減部材における基板の前面に、前方に向けてつまみ部を突設させたことを特徴とする請求項２〜４のいずれかに記載のボールペン。
【発明の詳細な説明】
【技術分野】
【０００１】
本発明はボールペンに関し、特に使用状態にあるボールペン芯体を、使用後に再度、軸筒内に戻す際に発生する衝撃音を、低減させるようにしたボールペンに関する。
【背景技術】
【０００２】
ボールペンは、使用時には、軸筒の前端に取り付けた口先部の前端開口からボールペン芯体の前端部を突出させ、使用後には、ボールペン芯体を軸筒内に、再度、戻すようにしたものが、利便性の上から、また不使用時にインクによって紙面や衣服等を汚さないようにするため、一般に広く多用されている。
【０００３】
しかし、使用後に、ボールペン芯体を軸筒内に戻す際に、コイルばねの付勢力を利用しているため、ボールペン芯体の後端に取り付けられている操作部材の後端部が、軸筒における係止部に衝突して、「カチッ」という弾き音が発生し、この衝撃音が頻繁に生ずると、会議や研修場などで静かな環境にある場合、意外に大きく響き、ボールペンの使用者を初め、周囲の者が気になる場合がある。
【０００４】
この対策として、たとえば特許文献１には、図９に、一部破断したボールペンの正面図、図１０に、その要部拡大図を示すように、ボールペン(01)の軸筒(02)における内部後端の凹部(03)に、半球状のゴムチップ(04)を挿入し、このゴムチップ(04)の周縁部(04a)に、ボールペン芯体(05)の後端に取り付けられている操作部材(06)の後端部(06a)が当たるようにしたものが開示されている。
【０００５】
しかし、特許文献１に記載されたものは、ボールペン(01)の軸筒(02)の内部後端の凹部(03)に、単に半球状のゴムチップ(04)を挿入したものであるため、ゴムチップ(04)が脱落する虞があるばかりでなく、多色ボールペンにおける複数のボールペン芯体(05)が、その使用頻度が同じでないため、ボールペン芯体(05)の後端に取り付けられている操作部材(06)の後端部(06a)が、ゴムチップの周縁部(04a)に衝突する頻度が不均一となり、ゴムチップ(04)が漸次、傾斜して、使用不可能となる虞がある。
【特許文献１】実開平６−６８８８３号公報（請求項１および図２参照）
【発明の開示】
【発明が解決しようとする課題】
【０００６】
本発明は、前記従来の状況に鑑み、衝撃音低減部材としてのゴムチップが、脱落したり、傾斜することがなく、ボールペン芯体を軸筒内に戻す際に発生する衝撃音を、長期間に亘り安定して、良好に低減させることができるボールペンを提供することを目的とする。
【課題を解決するための手段】
【０００７】
上記課題は、特許請求の範囲における各請求項に示すように、下記の構成を備える発明によって解決される。
(１)  軸筒内に収容されたボールペン芯体の後端に操作部材を取り付け、この操作部材における操作部を、軸筒の周壁に設けたスライド孔から外部に露出させ、この操作部を操作することによって、ボールペン芯体の前端部を、軸筒の前端に取り付けた口先部の前端開口から出没させるようにしたボールペンにおいて、ボールペン芯体を、コイルばねによって後方に向けて付勢させるとともに、口先部の前端開口から、前端部を突出させた使用状態にあるボールペン芯体を、使用後に再度、軸筒内に戻す際に、コイルばねによる付勢力によって、操作部材の後端部が、軸筒における係止部に衝突するときに発生する衝撃音を低減するための衝撃音低減部材を、この衝撃音低減部材における後部に設けた取付部を、軸筒の内部後端に設けた取付孔に嵌合させることによって、軸筒に取り付けたボールペンとする。
【０００８】
(２)  上記(１)項において、衝撃音低減部材を、ボールペン芯体を軸筒内に収容した状態において、操作部材の後端部が当接する基板と、その後面に後方に向けて突設させた取付部とより形成するとともに、これら基板と取付部を弾性素材で形成し、かつ前記取付部の一部を拡径し、軸筒の内部後端に設けた取付孔に強固に嵌合させる。
【０００９】
(３)  上記(１)項または(２)項において、軸筒の内部後端に設けた取付孔を、その奥部を開口部よりも幅広に形成し、この幅広部に衝撃音低減部材における取付部の拡径部を嵌合させる。
【００１０】
(４)  上記(１)項〜(３)項のいずれかにおいて、衝撃音低減部材における基板を、ボールペン芯体の数に対応した小片を、平面視において放射状に配設させた形状に形成するとともに、前記小片を、軸筒の内部後端に、衝撃音低減部材が回転しないように係止させる。
【００１１】
(５)  上記(２)項〜(４)項のいずれかにおいて、衝撃音低減部材における基板の前面に、前方に向けてつまみ部を突設させる。
【発明の効果】
【００１２】
本発明によると、次のような効果が奏せられる。
請求項１記載の発明によれば、衝撃音低減部材が、その後部に設けた取付部を、軸筒の内部後端に設けた取付孔に嵌合させることによって、軸筒に取り付けられているため、衝撃音低減部材が脱落したり、傾斜することがなく、ボールペン芯体を軸筒内に戻す際に発生する衝撃音を、長期間に亘り安定して、良好に低減させることができる。
【００１３】
請求項２記載の発明によれば、衝撃音低減部材が弾性素材で形成されているためボールペン芯体の後端に取り付けられている操作部材の後端部が、軸筒における係止部に衝突する際の衝撃が緩和され、衝撃音が良好に低減されるとともに、取付部の拡径部が弾性力によって、軸筒の取付孔に強固に嵌合しているため、衝撃音低減部材の脱落が高度に防止される。
さらに、衝撃音低減部材における基板と取付部の両者とも弾性素材で形成されているため、操作部材の後端部の衝突による衝撃が、基板から取付部を介して軸筒に伝播し、衝撃音の低減に悪影響を及ぼすようなことも有効に防止される。
【００１４】
請求項３記載の発明によれば、衝撃音低減部材の軸筒からの脱落が一層有効に防止される。
【００１５】
請求項４記載の発明によれば、基板が、ボールペン芯体の数に対応した小片を、平面視において放射状に配設して形成されているため、各小片の衝撃が、隣接する小片に伝播することが防止され、衝撃音の低減に有利に作用するとともに、衝撃音低減部材が回転しないように係止されているため、衝撃音低減部材の取付け位置の安定性が良好に保持される。
【００１６】
請求項５記載の発明によれば、衝撃音低減部材における基板の前面に、前方に向けてつまみ部が突設されているため、衝撃音低減部材を軸筒に取り付ける際に、前記つまみ部をつまんで、取り付け作業を効率よく行うことができる。
【発明を実施するための最良の形態】
【００１７】
以下、本発明のいくつかの実施形態を、図面に基づいて説明する。
【００１８】
図１は、本発明を実施したボールペン(１)を、一部破断して示す正面図、図２は、図１の要部拡大図である。
【００１９】
本発明のボールペン(１)は、軸筒(２)内に収容されたボールペン芯体(３)の後端に操作部材(４)が取り付けられ、この操作部材(４)における操作部(５)を、軸筒(２)の周壁(６)に設けられたスライド孔(７)から外部に露出させ、この操作部(５)を操作することによって、ボールペン芯体(３)の前端部(3a)を、軸筒(２)の前端に取り付けられた口先部(８)の前端開口(９)から、自在に出没させ得るようになっている。
【００２０】
すなわち、使用する場合には、所望とする色のボールペン芯体(３)の操作部(５)を前方（図１においては下方）に向けて押し下げることにより、ボールペン芯体(３)の前端部(3a)を、口先部(８)の前端開口(９)から外部に突出させ、使用後においては、他の色のボールペン芯体における操作部を、わずかに押し下げることにより、周知の機構によって、コイルばね(10)による後方向き（図１においては上向き）の付勢力により、ボールペン芯体(３)が軸筒(２)内に、自動的に戻るようになっている。
【００２１】
このようにボールペン芯体(３)が軸筒(２)内に戻る際に、コイルばね(10)による付勢力によって、操作部材(４)の後端部(11)が、軸筒(２)における内部後端の係止部(12)に衝突して衝撃音を発生する。
【００２２】
このため、本発明においては、操作部材(４)の後端部(11)を、軸筒(２)の内部後端に取り付けた衝撃音低減部材(13)に衝突させて係止させ、衝撃音を可及的に低減させるようにしてある。
【００２３】
図３は、衝撃音低減部材(13)の拡大正面図、図４は、拡大上方斜視図である。衝撃音低減部材(13)は、基板(14)と、その後面(14a)に後方に向けて突設された取付部(15)と、同じく前面(14b)に前方に向けて突設されたつまみ部(16)とよりなる。これら基板(14)、取付部(15)、つまみ部(16)は、すべて弾性素材により一体的に成形されている。
【００２４】
弾性素材としては、ウレタンゴム、低弾性ゴム、シリコンゴム、フッ素ゴム、ニトリルゴム、ブチルゴム、エチレンゴム、クロロゴム、その他のエラストマー等が良好に用いられる。
【００２５】
特に基板(14)は、操作部材(４)の後端部が衝突して係止される部分であり、衝撃音を効果的に低減させるためには、素材の硬度は、３０〜９５ショアＡ硬度が望ましく、特に９０ショアＡ硬度前後が好ましく用いられる。
【００２６】
本実施形態の衝撃音低減部材(13)は、２色ボールペンに使用するものであり、基板(14)は、長方形板状体をなし、その厚さは、０．５〜１．５ｍｍ程度が望ましく、特に１．２ｍｍ前後が好ましい。
【００２７】
取付部(15)は、その後部が拡径されており、この拡径部(15a)は、素材の弾性作用により、軸筒(２)の内部後端に、軸線方向に設けられた取付孔(17)（図２参照）に強固に嵌合し得る程度に拡径されている。
【００２８】
なお、図２に示した実施形態においては、取付孔(17)の直径は不変であるが、たとえば、取付孔(17)の奥部を開口部よりも幅広に形成し、この幅広部に衝撃音低減部材(13)における拡径部(15a)を嵌合させることも好ましい形態である。
【００２９】
衝撃音低減部材(13)における基板(14)の前面(14b)に設けられたつまみ部(16)は、衝撃音低減部材(13)を、軸筒(２)の内部後端の取付孔(17)に嵌合させる際に、手またはピンセット等でつまむためのものであり、つまみ易いように前部が拡径され、この拡径部(16a)によって、嵌合作業中に衝撃音低減部材(13)がピンセット等から外れないようにしてある。
【００３０】
図５は、図１におけるＶ−Ｖ線断面図、図６は、ボールペン芯体(３)の後端に取り付けられた操作部材(４)の後端部(11)が、衝撃音低減部材(13)に当接、または離散している状態を示す拡大斜視図である。
【００３１】
図５に示すように、軸筒(２)の内部後端における取付孔（図示省略）に、取付部（図示省略）を嵌合させることによって、軸筒(２)に取り付けられた衝撃音低減部材(13)は、その基板(14)を構成する、２色の各ボールペン芯体（図示省略）の後端に取り付けられた操作部材(４)の後端部と当接する２個の左右の小片(14c)(14c)が一体化して形成された形状をなし、各小片(14c)(14c)は、軸筒(２)の内部後端面に、衝撃音低減部材(13)が軸筒(２)の軸線回りに回転しないように係止されている。
【００３２】
図６に示すように、ボールペン芯体(３)の後端に取り付けられた操作部材(４)の後端部(11)には、段部(11a)(11b)が形成されており、前方向きに１段下がった段部(11a)に、衝撃音低減部材(13)における基板(14)の前面(14a)が当接するようになっている。また、この段部(11a)は、衝撃音を少なくするため、基板(14)の前面(14a)との当接面積を減らすように、凸状に形成されている。
【００３３】
図７，図８は、衝撃音低減部材の別の実施形態を示す上方斜視図であり、図４に相当する図である。
【００３４】
図７に示す衝撃音低減部材(18)は、３色ボールペンに使用するものであり、基板(19)が、３個のボールペン芯体に対応させた３個の板状小片(19a)(19b)(19c)を、平面視において放射状に配設させた形状に形成されている。
基板(19)の後面、前面には、それぞれ取付部(20)、つまみ部(21)が突設されている。
【００３５】
図８に示す衝撃音低減部材(22)は、４色ボールペンに使用するものであり、基板(23)が、４個のボールペン芯体に対応させた４個の板状小片(23a)(23b)(23c)(23d)を、同様に放射状に配設させた形状に形成されている。
基板(23)の後面、前面には、それぞれ取付部(24)、つまみ部(25)が突設されている。
【００３６】
図７，図８に示す衝撃音低減部材(18)(22)は、図３，図４に示した衝撃音低減部材(13)と同様にして、それぞれ３個、４個のボールペン芯体を備える軸筒の内部後端における取付孔に、取付部(20)(24)を嵌合して取り付けられる。
【図面の簡単な説明】
【００３７】
【図１】本発明を実施したボールペンを、一部破断して示す正面図である。
【図２】図１の要部拡大図である。
【図３】図１における衝撃音低減部材の拡大正面図である。
【図４】同じく、衝撃音低減部材の拡大上方斜視図である。
【図５】図１におけるＶ〜Ｖ線断面図である。
【図６】ボールペン芯体の後端に取り付けられた操作部材の後端部が、衝撃音低減部材に当接または離散している状態を示す拡大斜視図である。
【図７】衝撃音低減部材の別の実施形態を示す上方斜視図である。
【図８】衝撃音低減部材の更に別の実施形態を示す上方斜視図である。
【図９】従来のボールペンを、一部破断して示す正面図である。
【図１０】図９の要部拡大図である。
【符号の説明】
【００３８】
(１)ボールペン
(２)軸筒
(３)ボールペン芯体
(3a)前端部
(４)操作部材
(５)操作部
(６)周壁
(７)スライド孔
(８)口先部
(９)開口
(10)コイルばね
(11)後端部
(11a)(11b)段部
(12)係止部
(13)衝撃音低減部材
(14)基板
(14a)後面
(14b)前面
(15)取付部
(15a)拡径部
(16)つまみ部
(17)取付孔
(18)衝撃音低減部材
(19)基板
(19a)(19b)(19c)板状小片
(20)取付部
(21)つまみ部
(22)衝撃音低減部材
(23)基板
(23a)(23b)(23c)(23d)板状小片
(24)取付部
(25)つまみ部
(01)ボールペン
(02)軸筒
(03)凹部
(04)ゴムチップ
(04a)周縁部
(05)ボールペン芯体
(06)操作部材
(06a)後端部
【図１】
2006015561.tif 000003
【図２】
2006015561.tif 000004
【図３】
2006015561.tif 000005
【図４】
2006015561.tif 000006
【図５】
2006015561.tif 000007
【図６】
2006015561.tif 000008
【図７】
2006015561.tif 000009
【図８】
2006015561.tif 000010
【図９】
2006015561.tif 000011
【図１０】
2006015561.tif 000012